(57)【特許請求の範囲】
【請求項１】
土砂を押さえる壁板と、
壁板の底面にほぼ水平方向に向けて配置した底版と、
壁板の一端面から、擁壁の延長方向へ張り出す板であって、
壁板の厚さよりも薄く、かつその地山側ではない開放側が壁板の開放側の面と連続する同一面を形成する張り出し板、
とによって擁壁単体を構成し、
擁壁単体の壁板の他端付近には、
地山側と外部の開放側とを貫通した貫通孔を開口し、
擁壁単体の壁板の端面を接して順次現地に配置した際には、
ひとつの擁壁単体の貫通孔の開口部の開放側に、隣接する擁壁単体の張り出し板が位置するように構成した、
擁壁の構造。
【請求項２】
土砂を押さえる壁板の上面には、
張り出し板側に向けて傾斜する導水路を形成した擁壁単体を並べて構成する、
請求項１記載の、擁壁の構造。
【請求項３】
張り出し板の地山側の面は、
先端に向けて傾斜させた状態に形成し、
張り出し板の先端が細くなるように形成した擁壁単体を並べて構成する、請求項１記載の、擁壁の構造。
【請求項４】
擁壁単体を並べた場合に、
ひとつの擁壁単体の貫通孔の開口部の開放側に、隣接する擁壁単体の張り出し板が位置し、
擁壁単体群の地山側の面は同一平面を形成する、
請求項１記載の、擁壁の構造。
【請求項５】
底版の端面から端面までの幅は、
壁板の端面から端面までの幅よりも狭く形成し、
隣接した底版間の距離を調整した状態で擁壁単体を並べて構成する、
請求項１記載の、擁壁の構造。
【発明の詳細な説明】
【０００１】
【発明の属する技術分野】
本発明は、擁壁の構造に関するものである。
【０００２】
【従来の技術】
従来の擁壁は、Ｌ型、Ｔ型などに形成したコンクリート製の擁壁単体を並べ、その地山側に栗石を積み上げて土砂を埋め戻して構成している。
【０００３】
【本発明が解決しようとする課題】
上記したような従来の擁壁の構造にあっては、次のような問題点がある。
＜イ＞擁壁単体の隣接するジョイント部の位置がずれたり、あるいは施工後の地盤の不等沈下によって擁壁に不連続部分が発生し、美観を損ねる場合がある。
＜ロ＞擁壁背面の地山の地下水は、擁壁を通して開放側に排出しなければならず、そのために排水口を貫通している。そのために排水口が開口した状態で露出してしまうとともに、排水口から流出する地下水が擁壁の面を汚してしまい、やはり美観を損ねているのが普通である。
＜ハ＞雨水などにより天端部から流れ落ちる水が、天端付近の擁壁面によだれ状の汚れ跡を残し、やはり美観を損ねていた。
【０００４】
本発明は上記したような従来の問題を解決するためになされたもので、擁壁単体を並べた場合に、隣接部の目違いや不等沈下が発生しても美観を損ねることがなく、排水口からの排水が擁壁の面を汚すことがない擁壁の構造を提供することを目的とする。
【０００５】
【課題を解決するための手段】
上記のような課題を解決するために本発明の擁壁の構造は、土砂を押さえる壁板と、壁板の底面にほぼ水平方向に向けて配置した底版と、壁板の一端面から、擁壁の延長方向へ張り出す板であって、壁板の厚さよりも薄く、かつその地山側ではない開放側が壁板の開放側の面と連続する同一面を形成する張り出し板、とによって擁壁単体を構成し、擁壁単体の壁板の他端付近には、地山側と外部の開放側とを貫通した貫通孔を開口し、擁壁単体の壁板の端面を接して順次現地に配置した際には、ひとつの擁壁単体の貫通孔の開口部の開放側に、隣接する擁壁単体の張り出し板が位置するように構成した擁壁の構造を特徴としたものである。
【０００６】
【本発明の実施の形態】
以下図面を参照しながら本発明の擁壁の構造の実施例について説明する。
【０００７】
＜イ＞全体の構造。
本発明の擁壁の構造は、複数の擁壁単体Ａを並べて構成する。
以下、擁壁単体Ａの構造と、その単体Ａを並べた状態について説明する。
【０００８】
＜ロ＞擁壁単体。
擁壁単体Ａは、ほぼＬ字型を形成しており、土砂を押さえるための壁板１と、この壁板１の底面にほぼ水平方向に配置した底版２とによって構成する。
この底版２の端面２１から端面２１までの幅を、壁板１の端面１１から端面１１までの幅よりも狭く形成することもできる。すると、複数個の擁壁単体を連続して配置する場合に、隣接する壁板端面１１間の間隔を調整することによって、平面的に曲線状の擁壁の配列を構成することができる。
【０００９】
そして壁板１の一端には、壁板１の厚さよりも薄く、かつ壁板１の外側面と同一面を形成する張り出し板３を形成する。
この張り出し板３の地山側の面は、先端に向けて傾斜させ、張り出し板３の先端が細くなるように形成することもできる。
土砂を押さえる壁板１の上面には張り出し板３側に向けて傾斜する導水路４を形成する。導水路４は、始点では幅がゼロであり、張り出し板３側に向けて徐々に広がる形状を呈し、導水路４の底部は張り出し板３側に向けて傾斜するように多少の勾配を与える。この傾斜は例えば２％程度の数値を採用できるが、これに限定されるものではない。
この導水路４の傾斜によって、壁板１の上面に集まった雨水などは、張り出し板３の裏面に流れることになる。
壁板１の地山側の面は、擁壁単体Ａを並べた場合に、同一平面を形成するように形成することもできる。
【００１０】
さらに壁板１において、張り出し板３を形成していない他端付近には、地山側と外部の開放側とを貫通した貫通孔５を開口する。
この貫通孔５の開口位置は、擁壁単体Ａの壁板１の端面１１を接して順次現地に配置した際に、ひとつの擁壁単体Ａの貫通孔５の開口部の開放側に、隣接する擁壁単体Ａの張り出し板３が位置するように構成する。
なお、貫通孔５の開放側には図４に示すように、その出口の下に排水が流下する方向に縦溝５１を刻設しておけば、貫通孔５からの排水量が多量になっても、張り出し板３の背面側にスムーズに排水することができる。
【００１１】
＜ハ＞擁壁の形成。
従来の擁壁と同様に、基礎コンクリートを打設した上に、上記したような構造の擁壁単体Ａを順次隣接して並べる。
擁壁単体Ａは上記のような形状を呈するから、並べた場合に、ひとつの擁壁単体Ａの貫通孔５の開口部の開放側に、隣接する擁壁単体Ａの張り出し板３が位置する。さらに張り出し板３の地山側の面は、先端に向けて傾斜させ、張り出し板３の先端が細くなるように形成しているから、張り出し板３の地山面と、隣接する壁板１の開放面とには間隔が形成される。
したがってひとつの擁壁単体Ａの貫通孔５からの排水は、隣接する擁壁単体Ａの張り出し板３の裏面側に流出する。そのために、開口部の汚れは開放側から見えることがなく、美観を損ねることがない。
擁壁単体Ａを並べる作業では、一つの擁壁単体Ａの壁板１の端面１１と、隣接する擁壁単体Ａも端面１１とを接する状態に配置することが基本である。
しかし施工時の条件、あるいは施工後の不等沈下などの影響で、端面１１間の接触が完全でなくなる場合がある。その場合にも、端面１１間の接触線は、張り出し板３の影に隠れてしまい、開放側からは見えないから、美観を損ねることがない。
【００１２】
【本発明の効果】
本発明の擁壁の構造は、以上説明したようになるから次のような効果を得ることができる。
＜イ＞施工時の条件、あるいは施工後の不等沈下などの影響で、端面１１間の間隔が同一でない場合であっても、端面部分は、張り出し板３の影に隠れてしまい、開放側からは見えないから、美観を損ねることがない。
＜ロ＞ひとつの擁壁単体Ａの貫通孔５の開口部の開放側に、隣接する擁壁単体Ａの張り出し板３が位置している。したがって排水口が外部に露出することがなく、かつひとつの擁壁単体Ａの貫通孔５からの排水は、隣接する擁壁単体Ａの張り出し板３の裏面側に流出し、開口部の汚れは開放側からは見えず、美観を損ねることがない。
＜ハ＞壁板１の上面には張り出し板３側に向けて傾斜する導水路４が形成してある。そのために、壁板１の上面に集まった雨水などは、導水路を経由して張り出し板３の裏面に流れ込むため、擁壁の外観が雨水により、よだれ状に汚れるようなことがない。
＜ニ＞開放側から見た場合に、張り出し板が順次重なって独特の陰影を形成し、視覚的なリズムを作り出す。そのために従来のような短調な一枚板の擁壁と異なり、通行者に心地好い美観を与えることができる。
【図面の簡単な説明】
【図１】本発明の擁壁を構成する擁壁単体の実施例の説明図。
【図２】その側面図。
【図３】外側から見た説明図。
【図４】貫通溝の出口の下に縦溝を刻設した例の説明図。
【図１】
0003851454.tif 000002
【図２】
0003851454.tif 000003
【図３】
0003851454.tif 000004
【図４】
0003851454.tif 000005